(57)【要約】【課題】屋内の梁が突出した個所に、現場の状況に応じてレンジフードを体裁良く、設置できるようにする。また、レンジフードの設置施行現場で容易に作業が行えるようにする。【解決手段】レンジフード１０の側面あるいは前面に取り付けられる幕板１１を、屋内に突出した梁１２を避けるように切欠し、この切欠部分にＬ形アングル状の金属材を断面略三角形状に屈曲してなるエッジ部材１を挿着し、切断端面１１ａ，１１ｂの金属素地を被覆保護すると共に、この切断端面に生じたバリを隠蔽することとした。そして、レンジフード１０の設置後、エッジ部材１をその底面３ａが梁１２の表面に接するように移動させることにより、幕板１１と梁１２との間に生じた間隙を塞ぐようにした。【選択図】  図１
2005036987.tif 000002
【特許請求の範囲】
【請求項１】
屋内に突出した梁の形状に応じて幕板を切欠し、この梁が設けられた個所に設置されるレンジフードにおいて、
上記幕板の切欠された端面に、Ｌ形アングル状の金属材を断面略三角形状に屈曲してなるエッジ部材が挿着され、該エッジ部材の底面を梁の表面に接するように移動させることにより、設置時に幕板と梁との間に生じた間隙が塞がれるようになされたことを特徴とするレンジフード。
【請求項２】
上記エッジ部材は、一方の片の端部に端縁が外方に向かって傾斜した突出部が設けられ、他方の片には、前記片に連続した角部から所定距離離れた個所に、この角部に沿って直線状に脆弱な屈曲部が設けられたものであることを特徴とする請求項１記載のレンジフード。
【発明の詳細な説明】
【０００１】
【発明の属する技術分野】
本発明は、ガスコンロなどの加熱調理機器の上方に配置され、加熱調理時に生じた油煙などを外部に排出するためのレンジフードに関し、特に屋内の梁が突出した個所に設置されるものに関する。
【０００２】
【従来の技術】
一般にレンジフードは、ガスコンロなどの加熱調理機器の上方に配置されるが、集合住宅においては、このレンジフードの取付個所に建物の梁が突出していることが多々有り、レンジフードの取り付けの邪魔になっていた。一方、消防法によって、加熱調理器の上面からレンジフードの下面までは８０ｃｍ以上確保しなければならないことになっている。従って、この梁の下方にレンジフードを取り付けると、消防法上必要な空間寸法を確保することができなかった。
【０００３】
そこで、従来は、図８に示すような取付金具２１を用いて梁３０の前面にレンジフード２０を吊り下げ、レンジフード２０の下端後面と壁面３１との間に生じた下側の隙間３２を化粧板２２で塞ぐということが行われていた。（例えば、特許文献１参照）。
【０００４】
また、この他にフード本体の上面に、ファンが内装されたファンボックスを設け、このファンボックスに設けられた任意の通気開口を利用することにより、設置場所に梁などの障害物があってもこれを避けながら設置できるようにしたものもあった。（例えば、特許文献２参照）。
【０００５】
なお、上記従来のものは、何れもその側面が外部に露呈する場合には、ここを幕板で塞ぐようにしていた。しかしながら、梁の突出寸法は、必ずしも一定ではなく、部屋によりばらつきが有るため、レンジフードの設置施行の際、取付個所の状況に応じて現場で幕板を切欠加工し、梁との干渉を避けるようにしていた。
【０００６】
【特許文献１】
実開平６−１８８３５号公報（第４−５頁、第１図）
【特許文献２】
特開平９−２８０６２０号公報（第４−６頁、第２図）
【０００７】
【発明が解決しようとする課題】
上述した従来のレンジフードは、何れも設置個所に梁などの障害物があってもこの障害物を覆うようにして取り付けることができるが、障害物の大きさや形状に応じて現場で幕板を切欠加工していたので、必ずしもその仕上げが良好なものとはならず、幕板と梁との間に隙間を生じたり、切欠端面の金属素地が外部に露呈したり、あるいは、切欠部分にバリが生じ、見苦しくなるという問題点があった。
【０００８】
本発明は、上記従来のレンジフードが有していた問題点の解決を課題とする。
【０００９】
【課題を解決するための手段】
上記の課題を解決するために、本発明のうち、請求項１記載の発明は、屋内に突出した梁の形状に応じて幕板を切欠し、この梁が設けられた個所に設置されるレンジフードにおいて、上記幕板の切欠された端面に、Ｌ形アングル状の金属材を断面略三角形状に屈曲してなるエッジ部材を挿着し、このエッジ部材の底面を梁の表面に接するように移動させることにより、設置時に幕板と梁との間に生じた間隙を塞ぐようにしたことを特徴とする。
【００１０】
請求項２記載の発明は、請求項１記載の発明の構成中、エッジ部材を、一方の片の端部に端縁が外方に向かって傾斜した突出部が設けられ、他方の片には、前記片に連続した角部から所定距離離れた個所に、この角部に沿って直線状に脆弱な屈曲部が設けられたものと限定したことを特徴とする。
【００１１】
【発明の実施の形態】
以下、本発明を図示した実施の形態に基づき詳細に説明する。
【００１２】
まず、本発明のレンジフードは、集合住宅などにおいて、図４に示すように建物の梁１２が突出した個所に、その下側に設置された加熱調理器（図示せず）との間に消防法で規定された所定の間隙（８０ｃｍ以上）を確保するために、レンジフード１０の側面あるいは前面を構成する幕板１１を、この梁１２の形状に応じて切除し、梁１２を内部に貫入させたような形態で取り付けられるものである。従って、レンジフード１０の梁１２が侵入する個所には、ファンなどの構造物がなく、また、この梁１２で気流が乱れたり、その機能が妨げられることがない内部構造になっている。なお、この内部構造は前記条件を満足するものであれば、従来公知のどのようなものであっても良い。
【００１３】
そして、本発明のレンジフード１０では、幕板１１の切除された個所に、図４に矢印で示すように、金属製のエッジ部材１が挿着され、このエッジ部材１で幕板１１の切欠部分と梁１２との間隙が塞がれるようになっている。
【００１４】
図１は、上記エッジ部材１の加工前の状態を示した斜視図、図２と図３は、それぞれ、このエッジ部材１の底面図と側面図である。このエッジ部材１は、長尺の金属板材をＬ形アングル状に屈曲して形成されたものであり、一方の片２の端部には、端縁が外方（図３において上方）に向かって４５°の角度で傾斜した突出部２ａが設けられ、他方の片３には、前記片２に連続した角部６から所定距離離れた個所に、この角部６に沿って直線状に複数のスリット状の開口４が、挟幅に残された脆弱な屈曲部５を挟んで連続して設けられている。
【００１５】
次にこのエッジ部材１を用いた本発明のレンジフード１０の設置施行手順について説明する。
【００１６】
まず、設置施行現場において、レンジフード１０を設置する個所に突出した梁１２の形状や寸法に応じてレンジフード１０の前面あるいは側面に取り付けられる幕板１１の角部分を、図４に示すように、梁を避けるように切欠する。次に、この切欠部分の縦と横の寸法に応じてエッジ部材１を、ほぼ等しい長さに切断する。なお、この時、エッジ部材１は、その端部に設けられた突出部２ａが互いに向き合うように、この突出部２ａが設けられた他方側を切断する。
【００１７】
そして、このようにして準備された二本のエッジ部材１を、それぞれ、開口４が設けられた側の片３を、他方側の片２と接するように内向きに屈曲部５から折り曲げる。なお、この折り曲げは、開口４，４同士の間に設けられた屈曲部５が脆弱なため、ここから容易になされる。このことにより、エッジ部材１は、図７に示すように略三角形状に折り曲げられ、向き合った二つの片２，３の間で幕板１１を挟み込むようにしてこの幕板１１の切欠端面１１ａ，１１ｂに挿着される。
【００１８】
その後は通常の手順により、レンジフード１０を所定の位置に取り付ければ良く、設置後、梁１２との間に隙間を生じれば、このエッジ部材１を底面３ａが梁１２の表面に接触するように移動させれば、この隙間が塞がれるものである。
【００１９】
なお、このエッジ部材１は、幕板１１を挟み込むようにして取り付けられているので、容易に移動させることができ、また移動後は、幕板１１を挟んだ状態でその位置が保持されるようになっているが、必要に応じてこのエッジ部材１の底面３ａを梁１２の表面に両面テープ（図示せず）などの適宜手段で接着することとしても良い。
【００２０】
図５は、図４の要部拡大図であり、図示したように一方のエッジ部材１（図５において左方）の底面端部３ｂを、このエッジ部材１の厚さｔだけ切欠しておけば、他方のエッジ部材１（図５において右方）と突き合わせた際に、図６に示すように、その突出部２ａ，２ａ同士が隙間無く接することとなり、都合が良い。
【００２１】
なお、図５と図６では、エッジ部材２ａを突き合わせた際、その先端が尖らないように突出部２ａの先端を角落し、したものを例示したが、エッジ部材１は直角に突き合わせた際、突出部の４５°に傾斜した端縁同士が接するようになっていれば良く、その先端形状は、図示した例に限らず任意である。
【００２２】
以上のようにして本発明のレンジフード１０は、屋内の梁１２が突出した個所に、この梁１２の形状や大きさに対応して体裁良く、取り付けられるものである。また、このエッジ部材１は、梁１２との間の隙間を塞ぐだけではなく、幕板１１の切欠端面１１ａ，１１ｂに露呈した金属素地を被覆保護すると共に、切欠部分に生じたバリ（図示せず）を隠蔽する効果があり、さらに金属薄板で形成されている膜板１１の端部の補強材としても機能するものである。また、このエッジ部材１は金属で形成されているので、熱に曝されるレンジフード１０の安全性を損なうものでないことは言うまでもない。
【００２３】
なお、また図示した実施の形態では、スリット状の開口４の間に残された連結部分を屈曲部５としたものを例示したが、この屈曲部５は、直線状に折り曲げを案内し得るものであれば良く、例えば、薄肉状であったり、或いは破断状に脆弱な部分を設けたものであっても良い。
【００２４】
【発明の効果】
以上説明したように、本発明のうち、請求項１記載の発明は、梁を避けるように切欠された幕板の端面に、断面略三角形状に屈曲されたエッジ部材を挿着することとしたので、梁との間に隙間を生じることなく、レンジフードを体裁良く設置することができる。また、幕板の切断端面に露呈した金属素地が、このエッジ部材で覆われるので、錆が生じ難く、耐久性が向上し、切断端面に生じたバリもこのエッジ部材で隠蔽されるので、仕上げが良好になると共に、バリ取り作業も不要になる。さらに、金属薄板で形成されている膜板の端部の補強材としても機能し、幕板の振動による騒音も生じ難くなるという効果がある。
【００２５】
請求項２記載の発明は、幕板の端面に挿着されるエッジ部材を、一方の片の端部に突出部が設けられ、他方の片に脆弱な屈曲部が設けられたものとしたので、施行現場で使用する状態に、容易に折り曲げ加工することができ、また突出部は、エッジ部材を直角に突き合わせた時、その表面の角部分に生じる隙間を塞ぐように機能するものである。よって、請求項１記載の発明の効果に加え、レンジフードの設置施行作業能率の向上が図られると共に、設置後の仕上がり状態も一層向上するという効果がある。
【図面の簡単な説明】
【図１】本発明のレンジフードに用いられるエッジ部材の斜視図である。
【図２】図１に示したエッジ部材の底面図である。
【図３】図１に示したエッジ部材の側面図である。
【図４】エッジ部材の取付説明図である。
【図５】図４の要部拡大図である。
【図６】エッジ部材の取付完了状態を示した要部拡大図である。
【図７】エッジ部材を幕板に挿着した状態を示した断面図である。
【図８】従来例の側面図である。
【符号の説明】
１  エッジ部材
２，３  エッジ部材の片
２ａ  突出部
３ａ  底面
４  開口
５  屈曲部
６  角部
１０  レンジフード
１１  幕板
１２  梁
【図１】
2005036987.tif 000003
【図２】
2005036987.tif 000004
【図３】
2005036987.tif 000005
【図４】
2005036987.tif 000006
【図５】
2005036987.tif 000007
【図６】
2005036987.tif 000008
【図７】
2005036987.tif 000009
【図８】
2005036987.tif 000010